(57)【要約】【課題】トルクリミッタ付きのローラを有してシートを搬送するシート搬送装置において、上記ローラを停止してシートのループを解消していくときに、シートがぴんと張って大きな音を発生するという問題を解決する。【解決手段】給紙ローラ１３、トルクリミッタ付き分離ローラ１４、搬送ローラ対２１等が設けられたシート搬送装置において、給紙ローラ１３から搬送ローラ対２１に至るシート搬送路に形成されるシートＳのループ側に突出しシート搬送方向に交差する方向に延びる凸部１５ｂをシート搬送方向に複数有するガイド部材１５を設け、ループを減少させていくシートＳを上記凸部１５ｂに接触させるようにした。【選択図】図３
2012144325.tif 000002
【特許請求の範囲】
【請求項１】
トルクリミッタの回転制限力が付与されるローラを有した第１ローラ対と、
上記第１ローラ対よりもシートの搬送方向の下流側に配置された第２ローラ対と、
上記第１ローラ対と第２ローラ対との間のシート搬送路上で上記シートが形成するループの側に突出し上記シートの搬送方向に交差する方向に延びる凸部を上記シートの搬送方向に複数有しており、上記ループを減少させていくシートに上記凸部を接触させるように設けられたガイド部材と、
を備えたことを特徴とするシート搬送装置。
【請求項２】
請求項１に記載のシート搬送装置において、上記ガイド部材を構成するガイド板を折り曲げて折曲部を形成し、この折曲部を上記凸部としたことを特徴とするシート搬送装置。
【請求項３】
請求項１に記載のシート搬送装置において、上記ガイド部材を複数のガイド板により構成し、上記ガイド板の縁を上記凸部としたことを特徴とするシート搬送装置。
【請求項４】
請求項１に記載のシート搬送装置において、上記凸部を上記ガイド部材を構成するガイド板から突出する位置と突出しない位置とに移動可能に設け、上記ループを減少させていくシートが上記ガイド板に当たる前のタイミングで上記凸部を上記ガイド板から突出する位置に移動させることを特徴とするシート搬送装置。
【請求項５】
請求項１〜請求項４の何れか１項に記載のシート搬送装置において、上記凸部は、上記シートの振動を減衰する材料から成ることを特徴とするシート搬送装置。
【請求項６】
請求項１〜請求項５の何れか１項に記載のシート搬送装置を備えていることを特徴とする画像形成装置。
【請求項７】
請求項１〜請求項５の何れか１項に記載のシート搬送装置を備えていることを特徴とする画像読取装置。
【発明の詳細な説明】
【技術分野】
【０００１】
本発明は、シートを搬送するシート搬送装置に係り、特にシート搬送経路上でシートに形成されたループ（たわみ）が解消されるときの音を低減できるようにした点に特徴を有するものである。
【背景技術】
【０００２】
例えば、複写機やプリンターには、給紙カセット上に積載されたシートを機内へと給紙搬入するための給紙部が設けられている。この給紙部は、給紙カセット上に積載された最上位置のシートを取り出すピックアップローラ、取り出されたシートを給紙カセットからシート搬送経路へと引き出す給紙ローラ、及び、この給紙ローラに対面して配置され、シートが二枚以上重なって搬送されるのを防止する分離ローラを備える。
【０００３】
上記分離ローラの回転軸にはトルクリミッタが設けられており、このトルクリミッタの回転制限力を上回る回転力が分離ローラに加わると、この分離ローラが回転することになる。
【０００４】
ここで、上記トルクリミッタの回転制限力は、シート同士の摩擦力よりも大きく設定される一方、シートと分離ローラとの間の摩擦力よりも小さく設定され、二枚以上のシートが給紙ローラによって搬送されてしまうのを防止している。
【０００５】
また、シート搬送経路では、上記給紙ローラと分離ローラから成る給紙・分離ローラ対よりもシート搬送方向の下流側に位置する搬送ローラ対の周速度を低速にし、搬送中にシートがローラ対間で引っ張られてしまうのを防止しているが、このような速度差を生じさせると、上記給紙・分離ローラ対と上記搬送ローラ対との間において、上記シートにループが形成されることになる。
【０００６】
しかし、上記シート搬送経路上に上記ループ形成のための大きなスペースを確保することは難しく、上記ループを大きくすることにも限界があるので、上記ループが一定の大きさとなるときに上記給紙ローラの回転駆動を停止するようにしている。
【０００７】
図１は上記給紙ローラ及び上記搬送ローラ対における周速度変化と上記シートに形成されるループの量の変化を示したグラフである。
【０００８】
このグラフには、上記給紙ローラの周速度変化Ａと、上記搬送ローラ対の周速度変化Ｂと、上記シートのループ量変化Ｃとが示されている。上記給紙ローラ及び搬送ローラ対は同時に起動し、上記シートに所定量のループが発生すると、すなわち上記シートの先端が搬送ローラに入り込んでから所定時間が経過すると、上記給紙ローラの回転停止制御が実行されるが、この停止後も上記搬送ローラ対は回転し続けるためにシートのループ量は急速に減少していくことになる。
【０００９】
ここで、上記分離ローラのトルクリミッタが上記シートの搬送に対して抵抗となるため、上記ループが解消されたときには、シートがぴんと張られ、このときにシート自体が大きな音を発生すると共に、シートが搬送路上のガイドに衝突して大きな音を発生する。
【００１０】
ところで、特許文献１に開示された画像形成装置においては、搬送ローラ対とレジストローラ対との間のシート搬送路に、複数の固定ガイドと、消音部材を備えた可動ガイドとを配置し、上記シート搬送路を通過するシートが形成するループを上記可動ガイドによって弾性的に受け止める一方、上記ループが解消されるときには上記シートを上記複数の固定ガイドのなかの１つの固定ガイドによって受け止めるようにしている。
【００１１】
また、特許文献２に開示されたシート搬送装置は、搬送ローラ対とレジストローラ対との間のシート搬送路に、下方に移動できる機構を備えた下部部材を配置し、上記レジストローラ対によってループを消滅させながら搬送されるシートを上記下部部材によって弾性的に受け止めるようにしている。
【先行技術文献】
【特許文献】
【００１２】
【特許文献１】特開２００９−４０５３９号公報
【特許文献２】特開２００１−３４８１４２号公報
【発明の開示】
【発明が解決しようとする課題】
【００１３】
しかしながら、上記の特許文献１に示された装置では、上記シートは、ループを解消するときには上記複数の固定ガイドのうちの中央の１つの固定ガイドに接触し、上記搬送ローラ対と上記１つの固定ガイドとの間、及び上記１つの固定ガイドとレジストローラ対との間で突っ張ることになる。この場合、それぞれの突っ張った部分におけるシート搬送方向の長さは、上記シートの接触箇所が上記１つの固定ガイドの１カ所だけであるので、接触箇所が複数である場合に比べて長くなる。そして、このように上記シートの突っ張った部分におけるシート搬送方向の長さが長くなると、この突っ張った部分が振動するときの周波数は低くなり、振動が長く続きやすいので音を大きく感じることになる。
【００１４】
また、上記の特許文献２に示された装置も同様に、ループを解消するシートは上記下部部材の１箇所に接触するため、シートの突っ張った部分におけるシート搬送方向の長さは、接触箇所が複数である場合に比べて長くなる。また、上記下部部材は、シートの押圧を受けて下方に移動するため、ループ解消時におけるシートの急激な突っ張りを抑制してループ解消音を低減することができるが、シートの後端が搬送ローラ対を通過するときに、シートで押さえられていた下部部材が弾性的に元の位置に復帰し、このときにシートの後端をはね上げるため、このはね上げに起因する音が発生するという欠点がある。
【００１５】
本発明は、トルクリミッタ付きのローラを用いてシートを搬送するシート搬送装置における上記のような問題を解決することを課題とするものである。
【００１６】
すなわち、本発明においては、上記のようなシート搬送装置で搬送するシートのループを解消していくときに、上記トルクリミッタの回転制限力によってシートがぴんと張って大きな音が発生するのを、上記のようなシートを弾性的に支持する下部部材を備えずに適切に防止することを課題とする。
【課題を解決するための手段】
【００１７】
本発明のシート搬送装置は、上記の課題を解決するため、トルクリミッタの回転制限力が付与されるローラを有した第１ローラ対と、上記第１ローラ対よりもシートの搬送方向の下流側に配置された第２ローラ対と、上記第１ローラ対と第２ローラ対との間のシート搬送路上で上記シートが形成するループの側に突出し上記シートの搬送方向に交差する方向に延びる凸部を上記シートの搬送方向に複数有しており、上記ループを減少させていくシートに上記凸部を接触させるように設けられたガイド部材と、を備えたことを特徴とする。
【００１８】
上記構成によれば、上記シートは、第１ローラ対と第２ローラ対との間でシート搬送方向に引っ張られてループを解消するときに、上記第１ローラ対と凸部との間、凸部と凸部の間、及び凸部と上記第２ローラ対との間でシート搬送方向に区分されたシートの突っ張った部分を形成する。このように上記ガイド部材における凸部と凸部との間にもシート搬送方向に区分されたシートの突っ張った部分が形成されることにより、上記突っ張った部分のシート搬送方向の長さを短くすることができる。そして、このように突っ張った部分のシート搬送方向の長さが短くなると、この突っ張った部分の振動の減衰が速められるので、ループ解消時に発生する音を小さくすることができる。
【００１９】
このようなシート搬送装置においては、上記ガイド部材を構成するガイド板を折り曲げて折曲部を形成し、この折曲部を上記凸部としてもよい。あるいは、上記ガイド部材を複数のガイド板により構成し、上記ガイド板の縁を上記凸部としてもよい。あるいは、上記凸部を上記ガイド部材を構成するガイド板から突出する位置と突出しない位置とに移動可能に設け、上記ループを減少させていくシートが上記ガイド板に当たる前のタイミングで上記凸部を上記ガイド板から突出する位置に移動させるようにしてもよい。これによれば、上記シートの先端が上記凸部の箇所を通るときには、上記凸部は上記ガイド板から突出しない位置に移動させられていることになるので、上記シートの先端が上記凸部に当たるといった事態を回避することができる。
【００２０】
また、ループ解消時に発生する音をさらに低減させるためには、上記凸部を、上記シートの振動を減衰する材料で構成することが望ましい。
【発明の効果】
【００２１】
本発明のシート搬送装置においては、シートにおけるループが減少する段階において、シートがガイド部材に設けられた複数の凸部と接触して、凸部と凸部との間にもシートの突っ張った部分を形成するので、上記突っ張った部分のシート搬送方向の長さが短くなって、上記突っ張った部分の振動の減衰が速められ、ループ解消時に発生する音を小さくすることができる。
【００２２】
また、本発明のシート搬送装置においては、従来のように、シートの押圧を受けて下方に移動する下部部材を備えるものではないので、この下部部材のはね上げに起因して音が発生するという欠点も生じない。
【図面の簡単な説明】
【００２３】
【図１】従来技術を示す図であって、給紙ローラ及び搬送ローラ対における周速度変化とシートに形成されるループの量の変化を示したグラフである。
【図２】本発明の一実施形態に係るシート搬送装置を有した画像形成装置の機構構成図である。
【図３】図２に示した画像形成装置における給紙ローラと分離ローラと搬送ローラ対とガイド部材とが配置される箇所を示した機構構成図である。
【図４】図３に示した１枚の折り曲げガイド板から成るガイド部材を示した斜視図である。
【図５】図４に示したガイド部材とは異なり、１枚の折り曲げガイド板と１枚の平板状のガイド板とから成るガイド部材を示した斜視図である。
【図６】図４に示したガイド部材とは異なり、複数枚の平板状のガイド板から成るガイド部材を示した斜視図である。
【図７】図４に示したガイド部材とは異なり、可動凸部を有するガイド部材を示した斜視図である。
【図８】本発明の一実施形態に係る画像読取装置に設けられたシート搬送装置を示した機構構成図である。
【図９】図８に示したシート搬送装置とは異なる構成のシート搬送装置を示した機構構成図である。
【発明を実施するための最良の形態】
【００２４】
次に、この発明の実施形態に係るシート搬送装置を添付図面に基づいて具体的に説明する。なお、本発明に係るシート搬送装置は、下記の実施形態に示したものに限定されず、その要旨を変更しない範囲において適宜変更して実施できるものである。
【００２５】
図２はこの実施形態のシート搬送装置を備えた画像形成装置を示している。この画像形成装置は、例えば、外部からネットワーク等を介してデータ入力された画像データやテキストデータに基づく画像をシートに画像形成するプリンターであり、装置本体１内に、給紙部１０、シート搬送路２０、画像形成部３０、定着部４０、排紙部５０などを備えたものである。
【００２６】
給紙部１０は、給紙トレイ１１、ピックアップローラ１２、給紙ローラ１３、及び分離ローラ１４などを備えている。上記ピックアップローラ１２が回転すると、上記給紙カセット１１に積載されたシートの一番上のシートが給紙ローラ１３と分離ローラ１４とから成るローラ対の間に送り込まれる。
【００２７】
上記分離ローラ１４の回転軸には、図示していないトルクリミッタが設けられている。上記トルクリミッタの回転制限力は、シート同士の摩擦力よりも大きく設定される一方、シートと分離ローラ１４との間の摩擦力よりも小さく設定される。
【００２８】
このため、上記給紙ローラ１３と分離ローラ１４との間に一枚のシートが送り込まれた場合は、この一枚のシートと分離ローラ１４との間の摩擦力は上記トルクリミッタの回転制限力を上回ることになり、分離ローラ１４も回転して上記一枚のシートを搬送することになる。
【００２９】
一方、上記給紙ローラ１３と分離ローラ１４との間に二枚以上のシートが送り込まれたときには、シート同士の摩擦力は上記トルクリミッタの回転制限力を下回るため、分離ローラは回転せず、上記給紙ローラ１３に接触しているシートだけが給紙ローラ１３によって搬送されることになる。
【００３０】
シート搬送路２０は、画像形成経路２０Ａ、排紙／反転経路２０Ｂ、両面搬送経路２０Ｃ、これら経路上に配置される各種ローラなどにより構成される。画像形成経路２０Ａには、搬送ローラ対２１、レジストローラ対２２、二次転写ローラ３４、定着部４０などが設けられており、上記給紙ローラ１３によって取り出されたシートは、その下流に位置する上記搬送ローラ対２１を通り、レジストローラ対２２の箇所で一旦待機され、画像形成のタイミングに合わせてレジストローラ対２２によって搬送される。
【００３１】
排紙／反転経路２０Ｂには、排紙ローラ２３Ａ及び反転ローラ２３Ｂが設けられている。片面印刷の場合、前記画像形成経路２０Ａを通過したシートは、前記排紙／反転経路２０Ｂに導かれ、排紙ローラ２３Ａが順方向回転することで排紙される。一方、両面印刷の場合、前記画像形成経路２０Ａを通過した片面印刷済のシートは、切替爪２４によって反転ローラ２３Ｂ側へ導かれ、この反転ローラ２３Ｂが順方向回転の後に逆方向回転することで、後端であったシート端が先端となって両面搬送経路２０Ｃへと導かれる。
【００３２】
画像形成部３０は、イエロー色用の画像形成ユニット３０Ｙと、マゼンダ色用の画像形成ユニット３０Ｍと、シアン色用の画像形成ユニット３０Ｃと、ブラック用の画像形成ユニット３０Ｋと、中間転写ベルト３３と、二次転写ローラ３４とを備えている。例えば、前記画像形成ユニット３０Ｙは、感光体ドラム３１、その周囲に配置された図示していない帯電装置、露光装置、現像装置、一次転写ローラ、及び清掃装置等を備える。他の色の画像形成ユニット３０Ｍ，３０Ｃ，３０Ｋも、上記の画像形成ユニット３０Ｙと同様の構成を有している。
【００３３】
上記各色の画像形成ユニット３０Ｙ，３０Ｍ，３０Ｃ，３０Ｋの各感光体ドラム３１に形成されたトナー画像が中間転写ベルト３３上に順々に一次転写されて、中間転写ベルト３３の上にはフルカラーのトナー画像が形成される。中間転写ベルト３３と二次転写ローラ３４との間をシートが通過するときに、中間転写ベルト３３上のトナー画像がシートの片側の面に転写される。
【００３４】
定着部４０は、例えば、熱源を有する加熱定着ローラ４１と、この加熱定着ローラ４１に接する加圧ローラ４２とからなり、両ローラ４１，４２間を通過するトナー画像が形成されたシートを加熱・加圧し、シートに転写されたトナー画像をシートに定着させる。この定着処理がなされたシートは排紙部５０上に積載されていく。
【００３５】
ここで、上記のシート搬送路２０において、給紙ローラ１３から搬送ローラ対２１に至る部分においては、図３に示すように、内側ガイドを成すガイド部材１５と彎曲形状の外側ガイド板１６とが配置されている。
【００３６】
上記ガイド部材１５のガイド板１５ａにはシート搬送方向に複数の凸部１５ｂが形成され、各凸部１５ｂは、上記シート搬送路上でシートＳが形成するループの側に突出しており、上記シートＳの搬送方向に交差する方向に延びて形成されている。そして、上記ガイド部材１５における上記複数の凸部１５ｂは、上記ループを減少させていくシートＳに同時的あるいは順次的に接触させるように配置されている。
【００３７】
上記ガイド部材１５は、図３及び図４に示しているように、１枚のガイド板１５ａをシート搬送方向に折り曲げて成り、この折り曲げによってシート搬送方向に交差する方向に延びる折曲部が形成されている。このガイド部材１５においては、上記折曲部を上記凸部１５ｂとしている。
【００３８】
上記構成であれば、上記シートＳは、給紙ローラ１３と搬送ローラ対２１との間でシート搬送方向に引っ張られてループを解消するときに、上記の各凸部１５ｂと接触し、各給紙ローラ１３とこの給紙ローラ１３に最も近い位置の凸部１５ｂとの間と、凸部１５ｂと凸部１５ｂの間と、上記搬送ローラ対２１に最も近い位置の凸部１５ｂと当該搬送ローラ対２１との間でそれぞれ上記シートＳの突っ張った部分が形成される。
【００３９】
そして、このように上記ガイド部材１５における凸部１５ｂと凸部１５ｂとの間にもシート搬送方向に区分されたシートＳの突っ張った部分が形成されるので、それぞれの突っ張った部分のシート搬送方向の長さが短くなる。この結果、シートＳの突っ張った部分の振動の減衰が速められて、ループ解消時に発生する音を小さくすることができる。
【００４０】
また、上記図４に示す例では、１枚のガイド板１５ａを折り曲げて複数の凸部１５ｂを形成しているので、複数の部材を用いて複数の凸部を形成する場合に比べて部品点数が削減されることになり、シート搬送装置のコストを抑えることができる。
【００４１】
ところで、上記シートＳに形成される複数の突っ張った部分が同じ周波数で振動する場合には、特定の周波数の音圧が大きくなって耳障りになるので好ましくない。このため、上記複数の凸部１５ｂにおけるシート搬送方向の間隔を相違させることにより、上記シートＳに形成されるそれぞれの突っ張った部分を異なる周波数で振動させるのが好ましい。例えば、上記給紙ローラ１３とこれに最も近い位置の凸部１５ｂとの間の距離をＬ１とし、凸部１５ｂと凸部１５ｂの間のそれぞれの距離をＬ２，Ｌ３，Ｌ４とし、上記搬送ローラ対２１に最も近い位置の凸部１５ｂと当該搬送ローラ対２１との間の距離をＬ５とする場合に、各距離Ｌ１〜Ｌ５の比であるＬ１／Ｌ２，Ｌ２／Ｌ３，Ｌ３／Ｌ４，Ｌ４／Ｌ５を、約０．８以上で約１．２５以下の値とし、且つ１とならない範囲とすることが考えられる。なお、周波数の比が１：２となる関係は１オクターブとして表され、１オクターブ異なる例えば１００Ｈｚ〜２００Ｈｚの周波数範囲の１／３オクターブバンドは、中心周波数が１００Ｈｚ，１２５Ｈｚ，１６０Ｈｚ，２００Ｈｚのように表され、隣り合う中心周波数の比率は約０．８又は約１．２５となる。
【００４２】
次に、ガイド部材１５の他の例を図５に示す。この図５に示すガイド部材１５は、１枚の折り曲げられたガイド板１５ａと１枚の平板状のガイド板１５ａとから成っており、上記平板状のガイド板１５ａの縁を給紙ローラ１３に最も近い位置の凸部１５ｂとしたものである。
【００４３】
更に、ガイド部材１５の他の例を図６に示す。この図６に示すガイド部材１５は、複数に分割された平板状のガイド板１５ａをシート搬送方向に間隔を空けて配置して成り、これら平板状のガイド板１５ａの縁を凸部１５ｂとしたものである。このような構造の場合でも、上記シートＳに突っ張った部分をシート搬送方向に複数形成することができる。
【００４４】
更に、ガイド部材１５の他の例を図７に示す。この図７に示すガイド部材１５には、上記ガイド部材１５におけるガイド板１５ａのスリットから突出する位置と突出しない位置とに移動できる可動凸部１５ｃが設けられている。そして、このようなガイド部材１５は、上記可動凸部１５ｃを、上記ループを減少させていくシートＳが上記ガイド板１５ａに当たる前のタイミングで、上記ガイド上１５ａから突出しない位置に移動させる。これによれば、上記シートＳの先端が上記可動凸部１５ｃの箇所を通るときには、上記可動凸部１５ｃは上記ガイド板１５ａから突出しない位置に移動させられていることになるので、上記シートＳの先端が上記可動凸部１５ｃに当たるといった事態は回避される。
【００４５】
上記可動凸部１５ｃを突出させるための機構としては、直線動作が行える電磁ソレノイドの可動軸を上記可動凸部１５ｃに連結した機構や、回転運動を往復直線動作に変えて上記可動凸部１５ｃに伝達する機構などが考えられる。また、上記ループを減少させていくシートＳが上記ガイド板１５ａに当たる前のタイミングとしては、例えば、上記ループが減少を開始するタイミングとすることができる。この場合、シートＳのループ量を実測するセンサの出力を利用して上記ループが減少を開始するタイミングを判断することができる。また、給紙ローラ１３の駆動停止後にシートＳのループの減少が始まるので、給紙ローラ１３の駆動停止時を上記ループが減少を開始するタイミングとすることができる。一方、突出させた可動凸部１５ｃを突出しない位置に戻すタイミングについては、例えば、上記可動凸部１５ｃを上記ガイド板１５ａから突出させた時点からの時間計測で一定時間が経過したとき、上記シートＳの後端が給紙ローラ１３から離脱したことをセンサで検出したとき、あるいは、次のシートＳの先端が上記ガイド部材１５に進入することをセンサで検出したときなどとすることができる。
【００４６】
以上の説明においては、シート搬送装置を画像形成装置における給紙部１０に用いた例を示したが、シート搬送装置を画像読取装置に用いることもできる。
【００４７】
図８に画像読取装置１００のシート搬送装置を示す。このシート搬送装置において、ピックアップローラ１０１が回転すると、原稿台上の一番上のシート（原稿）Ｓが給紙ローラ１０２と分離ローラ１０３との間に送られる。
【００４８】
この分離ローラ１０３の回転軸には、図示していないトルクリミッタが設けられている。このトルクリミッタにより、給紙ローラ１０２と分離ローラ１０３との間に二枚以上のシートＳが送り込まれても、シート同士の摩擦力は上記トルクリミッタの回転制限力を下回るため、分離ローラ１０３は回転せず、上記給紙ローラ１０２に接しているシートだけが給紙ローラ１０２によって搬送されていくことになる。
【００４９】
そして、シートＳにループが形成される上記給紙ローラ１０２と搬送ローラ対１０５との間のシート搬送路１０４にガイド部材１５が設けられている。このガイド部材１５におけるガイド板１５ａは、水平に位置する水平ガイド部分と、この水平ガイド部分よりもシート搬送方向下流側に配置し、下り傾斜状に設けられた下りガイド部とから成る。上記ガイド板１５ａの上記下りガイド部に凸部１５ｂがシート搬送方向に複数形成されており、各凸部１５ｂは、上記シート搬送路１０４上でシートＳが形成するループの側に突出し、上記シートＳの搬送方向に交差する方向に延びて形成されている。そして、上記ガイド部材１５は、上記ループを減少させていくシートＳに上記凸部１５ｂを接触させるように設けられている。
【００５０】
上記のような原稿読取装置１００においても、シートＳのループを解消する際に音が発生することになるが、上記のようにシート搬送路１０４に上記凸部１５ｂを有するガイド部材１５を設けたので、上記の画像形成装置と同様、ループ解消時に発生する音を小さくすることができる。
【００５１】
上記原稿読取装置１００における他の例のシート搬送装置を図９に示す。この図９に示すシート搬送装置においては、ガイド部材１５におけるガイド板１５ａの水平ガイド部分に可動凸部１５ｃを設けている。この水平ガイド部分に設けられた可動凸部１５ｃは、上記ガイド板１５ａにおける水平ガイド部分から突出する位置と突出しない位置とに移動可能に設けられる。そして、このようなガイド部材１５は、上記可動凸部１５ｃを、上記ループを減少させていくシートＳが上記ガイド板１５ａに当たる前のタイミングで、上記ガイド上１５ａから突出しない位置に移動させる。
【００５２】
上記のごとく、上記水平ガイド部分に可動凸部１５ｃを設けることで、この水平ガイド部分でもシートＳをシート搬送方向に区分して複数の突っ張った部分を形成することができる。そして、上記シートＳの先端が上記水平ガイド部分で上記可動凸部１５ｃの箇所を通るときには上記可動凸部１５ｃは上記ガイド板１５ａから突出しない位置に移動させられていることになるので、上記シートＳの先端が上記可動凸部１５ｃに当たるといった事態は回避される。
【００５３】
また、以上説明したガイド部材１５における凸部１５ｂ及び可動凸部１５ｃを、シートＳに生じる振動を減衰するゴムなどの振動減衰材料を用いて形成することが好ましい。このように、凸部１５ｂ及び可動凸部１５ｃに振動減衰材料を用いると、凸部１５ｂ及び可動凸部１５ｃによりシート搬送方向に区分されたシートの突っ張った部分の振動の減衰を一層速めてループ解消音を更に小さくすることができる。なお、ガイド部材１５自体を振動減衰材料で構成することにより凸部１５ｂが振動減衰材料から成るようにすることもできる。また、可動凸部１５ｃを用いる場合において、ガイド部材１５を振動減衰材料で構成せずに、可動凸部１５ｃだけを振動減衰材料を用いて形成することもできる。
【符号の説明】
【００５４】
１      装置本体
１０    給紙部
１２    ピックアップローラ
１３    給紙ローラ
１４    分離ローラ
１５    ガイド部材
１５ａ  ガイド板
１５ｂ  凸部
１５ｃ  可動凸部
２０    シート搬送路
２１    搬送ローラ対
２２    レジストローラ対
３０    画像形成部
４０    定着部
５０    排紙部
１００  画像読取装置
１０２  給紙ローラ
１０３  分離ローラ
１０４  シート搬送路
１０５  搬送ローラ対
【図１】
2012144325.tif 000003
【図２】
2012144325.tif 000004
【図３】
2012144325.tif 000005
【図４】
2012144325.tif 000006
【図５】
2012144325.tif 000007
【図６】
2012144325.tif 000008
【図７】
2012144325.tif 000009
【図８】
2012144325.tif 000010
【図９】
2012144325.tif 000011